(57)【要約】    【課題】排出トレイに排出される用紙を仕分けするために、排出トレイなどを前後に動かす構成では、装置が大型化してしまう。    【解決手段】排出ローラ装置８は、排出ローラ対１１を有している。排出ローラ対１１は、第１ローラ１２と、第２ローラ１３とを有している。排出ローラ対１１の軸方向の圧接力が略均等な通常状態と不均等な仕分け状態とに切り換える圧接力切り換え機構１８が設けられている。圧接力切り換え手段１８のカム１９が、第２ローラ１３の右端部を押し上げて、第２ローラ１３を傾けることで、用紙の排出方向を異ならせることができる。    【効果】排出ローラ対１１に圧接力切り換え機構１８を設けているので、用紙の仕分けを行うための構成を小型で簡素なものにすることができる。    【選択図】            図３
2006008294.tif 000002
【特許請求の範囲】
【請求項１】
第１ローラと、上記第１ローラに対して、軸方向に略均等な圧接力で圧接された第２ローラとを含む排出ローラ対を有する画像形成装置の排出ローラ装置において、
上記排出ローラ対の軸方向の圧接力を、軸方向の一端側が強くなり、他端側が弱くなるように切り換える圧接力切り換え手段、
を有することを特徴とする画像形成装置の排出ローラ装置。
【請求項２】
上記圧接力切り換え手段は、上記排出ローラ対の他端側に備えられ、排出ローラ対の他端側における軸間隔を拡げる軸間隔変更手段を含むことを特徴とする請求項１記載の画像形成装置の排出ローラ装置。
【請求項３】
上記軸間隔変更手段は、
上記排出ローラ対の一方のローラの軸端に回転自在に嵌められたカムであって、当該一方のローラ軸の中心から外周面までの距離が第１長さの領域と、それより長い第２長さの領域とを有しているカムと、
上記カムの第１長さの領域が他方のローラの軸端に対向する状態と、第２長さの領域が他方のローラの軸端に対向する状態とに切り換えるカム回動手段と、
を有することを特徴とする請求項２記載の画像形成装置の排出ローラ装置。
【発明の詳細な説明】
【技術分野】
【０００１】
この発明は、複写機などの画像形成装置の排出ローラ装置に関する。
【背景技術】
【０００２】
たとえば、複写機は、画像データに基づく画像を形成した用紙を、排出ローラによって排出トレイに排出する。このような複写機において、一連の原稿を複数部コピーした際の用紙の仕分けを容易に行えるように、ソータやスタッカなどの仕分け装置を備えるものがある。たとえば、スタッカは、前後に移動可能な排出トレイを備えている。そして、排出トレイを前後に移動させることで、排出された用紙が同一箇所に重ならないようにし、用紙を仕分けしている（たとえば、特許文献１参照）。
【０００３】
また、排出トレイに、用紙の排出方向と交差する交差方向に駆動可能なガイド板を設けたものがある（たとえば、特許文献２参照）。この場合、排出トレイに排出された用紙を、ガイド板によって上記の交差方向に幅よせすることで、用紙の位置を変えて仕分けを行うようになっている。
【特許文献１】特開平８−１６９６０９号公報（第００２４欄）
【特許文献２】特開平９−１６９４６４号公報
【発明の開示】
【発明が解決しようとする課題】
【０００４】
しかしながら、排出される用紙を仕分けするために、特許文献１のようにスタッカを設けると、排出トレイを移動させるための駆動装置の構成が、大掛かりで複雑なものになってしまう。また、特許文献２においては、排出トレイに排出された多数枚の用紙を幅よせできるように、ガイド板を大型に形成する必要があり、また、ガイド板を駆動する必要がある。同様の課題は、プリンタなどの他の画像形成装置にも存在する。
【０００５】
そこで、この発明の目的は、排出された用紙などの仕分けをより簡易な構成で実現することである。
また、この発明の他の目的は、排出された用紙などの仕分けを行うための構成をより小型なものにすることである。
【課題を解決するための手段】
【０００６】
上記目的を達成するための請求項１記載の発明は、第１ローラ（１２）と、上記第１ローラに対して、軸方向に略均等な圧接力で圧接された第２ローラ（１３）とを含む排出ローラ対（１１）を有する画像形成装置（１）の排出ローラ装置（８，２２）において、上記排出ローラ対の軸方向の圧接力を、軸方向の一端側が強くなり、他端側が弱くなるように切り換える圧接力切り換え手段（１８，２３）、を有することを特徴とする画像形成装置の排出ローラ装置である。
【０００７】
なお、括弧内の英数字は、後述の実施形態における対応構成要素などを表す。以下、この項において同じ。
この構成によれば、排出ローラ対の軸方向の圧接力を、略均等な状態から不均等な状態に切り換えることができる。これにより、排出ローラ対の軸方向において、排出ローラ対に挟まれた用紙などを搬送する力に偏りが生じ、用紙の排出方向が変わる。すなわち、排出ローラ対の軸方向の圧接力を、略均等な状態にしたときと不均等な状態にしたときとで、用紙などの排出方向を異ならせることができる。その結果、排出ローラ対から排出された用紙などを異なる位置に重ねることができ、仕分けが可能となる。
【０００８】
しかも、排出ローラ対に関して、その軸方向の圧接力を切り換えるようにしているので、圧接力切り換え手段を小型で簡易なものにすることができる。
請求項２記載の発明は、上記圧接力切り換え手段は、上記排出ローラ対の他端側に備えられ、排出ローラ対の他端側における軸間隔を拡げる軸間隔変更手段（１８，２３）を含むことを特徴とする請求項１記載の画像形成装置の排出ローラ装置である。
【０００９】
この構成によれば、排出ローラ対の他端側における軸間隔を拡げるという簡易な動作で、当該他端側における圧接力を、一端側に比べて弱くすることができる。これにより、排出ローラ対の軸方向の圧接力を、略均等な状態から不均等な状態に容易に切り換えることができる。
請求項３記載の発明は、上記軸間隔変更手段（１８）は、上記排出ローラ対の一方のローラ（１２）の軸端に回転自在に嵌められたカム（１９）であって、当該一方のローラ軸の中心（Ｃ１）から外周面までの距離が第１長さの領域（１９ａ）と、それより長い第２長さの領域（１９ｂ）とを有しているカムと、上記カムの第１長さの領域が他方のローラ（１３）の軸端に対向する状態と、第２長さの領域が他方のローラの軸端に対向する状態とに切り換えるカム回動手段（２０）と、を有することを特徴とする請求項２記載の画像形成装置の排出ローラ装置である。
【００１０】
この構成によれば、カムの第１長さの領域が他方のローラの軸端に対向しているときと、カムの第２長さの領域が他方のローラの軸端に対向しているときとで、第１および第２ローラの軸端における、各ローラの中心間の距離を異ならせることができる。たとえば、第１長さの領域が対向しているときは、カムと他のローラとの間に隙間があり、一対のローラは、軸方向に略均等の圧力で接しているが、第２長さの領域が対向すると、カムは、他方のローラの軸端を一方のローラから遠ざける。これにより、一方のローラに対して他方のローラを傾けて、排出ローラ対の軸方向の圧接力を不均等な状態にすることができる。すなわち、一方のローラの軸端にカムを嵌め、そのカムを回動させるという簡易な構成で、排出ローラ対の軸方向の圧接力を不均等な状態にして、用紙などの排出方向を容易に変えることができる。また、排出トレイやガイド板を直線方向に移動させて用紙などの仕分けを行う従来の構成と異なり、一方のローラと他方のローラとを相対的に傾けることで用紙などの仕分けを行う構成であるため、各部材の移動量をより少なくすることができ、装置をより小型なものにすることができる。
【発明を実施するための最良の形態】
【００１１】
以下には、図面を参照して、この発明の実施形態について具体的に説明する。
図１は、この発明の一実施形態にかかる排出ローラ装置を備える複写機の概略構成を示す模式的な断面図である。
複写機１は、ハウジング２と、用紙収容部３と、レジストローラ対４と、感光体ドラム５と、転写チャージャ６と、定着装置７と、排出ローラ装置８と、ハウジング２に取り付けられる排出トレイ９とを備えている。
【００１２】
用紙収容部３には、用紙Ｐが収容されており、この用紙Ｐは矢印Ａで示す経路をたどるようになっている。用紙Ｐは、用紙収容部３から給紙コロ１０によってレジストローラ対４に送られる。レジストローラ対４に送られた用紙Ｐは、所定のタイミングで感光体ドラム５と転写チャージャ６との間に送られる。
感光体ドラム５には、画像データに基づくトナー像が形成されるようになっており、このトナー像は、転写チャージャ６によって用紙Ｐに転写される。トナー像が転写された用紙Ｐは、定着装置７に送られ、トナー像が定着される。定着装置７に送られた用紙Ｐは、さらに、排出ローラ装置８に送られ、この排出ローラ装置８によって、排出トレイ９に排出される。
【００１３】
図２は、排出ローラ装置８および排出トレイ９を用紙の搬送方向の下流側から見た斜視図である。図２を参照して、排出ローラ装置８は、排出ローラ対１１を有している。排出ローラ対１１は、第１ローラ１２と、第２ローラ１３とを含んでいる。
なお、以下では、第１ローラ１２の軸方向を左右方向とし、図２の第１ローラ１２の右側を右側、第１ローラ１２の左側を左側として説明する。
【００１４】
第１および第２ローラ１２，１３は、左右方向に長手に延びており、上下方向に相対向している。通常、第２ローラ１３は、第１ローラ１２に対して、第１ローラ１２の軸方向に略均等な圧接力で圧接されている。排出ローラ装置８に送られた用紙Ｐは、第１および第２ローラ１２，１３の間に入り、これら第１および第２ローラ１２，１３の駆動によって搬送方向の下流側へ搬送され、排出トレイ９へ排出される。
【００１５】
図３は、排出ローラ装置８の右側部分の斜視図である。図３を参照して、第１ローラ１２は、回転軸１４と軸方向に長い１つのロール体１５とを備えており、これら回転軸１４およびロール体１５は、同心に配置されている。回転軸１４は、ハウジングに対して回転自在に支持されている。回転軸１４には、駆動機構（図示せず）が連結されている。この駆動機構に含まれるモータの回転駆動に伴い、回転軸１４は回転方向Ｒ１に回転する。ロール体１５は、回転軸１４の中間部の外周に嵌められており、回転軸１４と一体的に回転する。
【００１６】
第２ローラ１３は、回転軸１６と軸方向に間隔をあけて設けられた複数のロール体１７とを備えており、これら回転軸１６およびロール体１７は、同心に配置されている。各ロール体１７は、回転軸１６と一体的に回転する。回転軸１６は、ハウジングに対して回転自在に支持されている。回転軸１６は、第１ローラ１２の回転軸１４にギヤ（図示せず）を介して連結されている。これにより、回転軸１６は、第１ローラ１２の回転軸１４の回転に伴い、回転方向Ｒ１と反対の方向である回転方向Ｒ２に回転する。
【００１７】
第１ローラ１２のロール体１５と、第２ローラ１３の対応するロール体１７とは、それぞれ、互いに所定の圧力で圧接されている。なお、各ロール体１５，１７の少なくとも一方は、たとえば、ゴムやスポンジなどの弾性体であることが望ましい。
排出ローラ対１１の右端部には、圧接力切り換え機構１８（圧接力切り換え手段、軸間隔変更手段）が設けられている。この圧接力切り換え機構１８は、排出ローラ対１１を通常状態と仕分け状態とに切り換えるためのものである。なお、通常状態とは、排出ローラ対１１の軸方向の圧接力が略均等にされた状態をいい、仕分け状態とは、排出ローラ対１１の軸方向の圧接力が不均等にされた状態をいう。
【００１８】
圧接力切り換え機構１８は、カム１９と、カム回動機構２０（カム回動手段）とを備えている。カム１９は、第１ローラ１２の回転軸１４の右端部に嵌め合わされており、この回転軸１４に対して回転自在となっている。また、第２ローラ１３の回転軸１６の右端部には、筒状のカムフォロワ２１が回転自在に嵌め合わされている。カム１９とカムフォロワ２１とは、上下方向に相対向している。なお、カムフォロワ２１を廃止して、カム１９を、回転軸１６の右端部に直接対向させてもよい。
【００１９】
図４は、排出ローラ装置８の右端部の断面側面図であり、図４（Ａ）は通常状態を、図４（Ｂ）は仕分け状態を、それぞれ示している。図５は、排出ローラ装置８を用紙Ｐの搬送方向の下流側から見た正面図であり、図５（Ａ）は通常状態を、図５（Ｂ）は仕分け状態を、それぞれ示している。図６は、排出ローラ装置８の平面図であり、図６（Ａ）は通常状態を、図６（Ｂ）は仕分け状態を、それぞれ示している。
【００２０】
図４（Ａ）を参照して、カム１９の外周面には、第１長さの領域１９ａと、第２長さの領域１９ｂとが設けられている。第１および第２長さの領域１９ａ，１９ｂは、それぞれ、カム１９の周方向に沿って所定の長さを有している。側面視において、第１ローラ１２の中心Ｃ１（回転軸１４の中心）から第１長さの領域１９ａまでの距離は、第１長さＬ１に設定されている。すなわち、第１長さの領域１９ａは、第１ローラ１２と同心で、かつ半径がＬ１の円弧面に形成されている。
【００２１】
同様に、側面視において、第１ローラ１２の中心Ｃ１から第２長さの領域１９ｂまでの距離は、第２長さＬ２に設定されている。すなわち、第２長さの領域１９ｂは、第１ローラ１２と同心で、かつ半径がＬ２の円弧面に形成されている。
第２長さＬ２は、第１長さＬ１よりも長く設定されている（Ｌ２＞Ｌ１）。これにより、第２長さの領域１９ｂは、第１長さの領域１９ａに対して、カム１９の径方向外方に位置している。
【００２２】
通常状態において、カム１９は、第１長さの領域１９ａがカムフォロワ２１の外周面と対向しており、カムフォロワ２１に接触していない。このとき、第１および第２ローラ１２，１３の右端部における中心Ｃ１，Ｃ２間の距離は、距離Ｄ１となっている。
一方、図４（Ｂ）を参照して、仕分け状態において、カム１９は、第２長さの領域１９ｂがカムフォロワ２１の外周面に対向して互いに接触している。このとき、カム１９は、白抜き矢符で示すように、カムフォロワ２１を介して、第２ローラ１３の回転軸１６の右端部を、弾性的に上方に押し上げている。これにより、第１および第２ローラ１２，１３の右端部における中心Ｃ１，Ｃ２間の距離は、距離Ｄ２となっている。このように、通常状態から仕分け状態に切り換えることで、第１および第２ローラ１２，１３の右端部における中心Ｃ１，Ｃ２間の距離は、Ｄ１からＤ２に拡がる。
【００２３】
カム回動機構２０は、たとえば、モータや回転ソレノイドなどの駆動源を含んでおり、カム１９を、第１ローラ１２の中心Ｃ１の回りに回動させることができる。これにより、カム回動機構２０は、カム１９の第１長さの領域１９ａがカムフォロワ２１（回転軸１４の右端部）に対向する通常状態（図４（Ａ）参照）と、カム１９の第２長さの領域１９ｂがカムフォロワ２１に対向する仕分け状態（図４（Ｂ）参照）とに切り換えることができる。すなわち、カム回動機構２０がカム１９を回動させることで、第１および第２ローラ１２，１３の中心Ｃ１，Ｃ２間の距離を、Ｄ１とＤ２とに変更することができる。
【００２４】
図５（Ａ）を参照して、通常状態において、第１および第２ローラ１２，１３は、互いに略平行に配置されており、第１ローラ１２の軸方向において、第１ローラ１２のロール体１５と、第２ローラ１３の各ロール体１７との互いの圧接力は、略均等である。これにより、排出ローラ対１１が用紙を搬送方向の下流側（図５（Ａ）において、紙面の手前側）へ搬送する力は、第１ローラ１２の軸方向において略均等になる。その結果、図６（Ａ）に示すように、排出ローラ装置８に送られた用紙Ｐは、矢印Ａ１で示すように、排出ローラ対１１において搬送方向が変わることなくまっすぐに送られて、排出トレイに排出される。
【００２５】
一方、図５（Ｂ）に示すように、仕分け状態において、第２ローラ１３は、右端部のみがカム１９によって上方に押し上げられており、右上がりに斜傾している。なお、第２ローラ１３は、軸方向に長手に延びているので、その右端部を容易に上方へ押し上げることができる。これにより、第２ローラ１３の各ロール体１７は、右側に向かうにつれて、第１ローラ１２のロール体１５から離れている。したがって、第１ローラ１２の軸方向において、第１ローラ１２のロール体１５と、第２ローラ１３の対応するロール体１７との圧接力は、左側が相対的に強くなり、右側が相対的に弱くなる。
【００２６】
これにより、第１および第２ローラ１２，１３が用紙を搬送方向の下流側（図５（Ｂ）において、紙面の手前側）へ搬送する力は、左側が強くなり、右側が弱くなる。その結果、図６（Ｂ）に示すように、排出ローラ装置８に送られた用紙Ｐは、矢印Ａ２で示すように、排出ローラ対１１において搬送方向が変えられ、先端が右向きになるように送られて、排出トレイに排出される。
【００２７】
上記の構成により、一連の原稿を複数部コピーする際には、通常状態と仕分け状態とに交互に切り換えることで、用紙Ｐを一部づつ仕分けして排出トレイ９に排出することができる。
以上説明したように、この実施形態によれば、カム１９の第１長さの領域１９ａが第２ローラ１３の右端部に対向しているときと、カム１９の第２長さの領域１９ｂが第２ローラ１３の右端部に対向しているときとで、第１および第２ローラ１２，１３の右端部の中心Ｃ１，Ｃ２間の距離を異ならせることができる。たとえば、カム１９の第１長さの領域１９ａが対向しているときは、カム１９と第２ローラ１３の右端部との間に隙間があり、第１および第２ローラ１２，１３は、軸方向に略均等な圧力で接しているが、カム１９の第２長さの領域１９ｂが対向すると、カム１９は、第２ローラ１３の右端部を第１ローラ１２から遠ざける。これにより、第１ローラ１２に対して第２ローラ１３を傾けて、排出ローラ対１１の軸方向の圧接力（第１ローラ１２の軸方向に関する排出ローラ対１１の圧接力）を不均等な状態にすることができる。
【００２８】
これにより、第１ローラ１２の軸方向において、排出ローラ対１１に挟まれた用紙Ｐを搬送する力に偏りが生じ、用紙Ｐの排出方向が変わる。すなわち、排出ローラ対１１の軸方向の圧接力を、略均等な状態にしたときと不均等な状態にしたときとで、用紙Ｐの排出方向を異ならせることができる。その結果、排出ローラ対１１から排出トレイ９に排出された用紙Ｐを異なる位置に重ねることができ、用紙Ｐの仕分けが可能となる。
【００２９】
また、排出ローラ対１１に関して、その軸方向の圧接力を切り換えるようにしているので、圧接力切り換え機構１８のカム１９およびカム回動機構２０を、小型で簡易なものにすることができる。
さらに、第１ローラ１２の回転軸１４の右端部にカム１９を嵌め、そのカム１９を回動させるという簡易な構成で、すなわち、排出ローラ対１１の右端側における軸間隔を拡げるという簡易な動作で、排出ローラ対１１の軸方向の圧接力を不均等な状態にして、用紙Ｐの排出方向を容易に変えることができる。
【００３０】
また、排出トレイやガイド板を全体的に直線移動させることで用紙の仕分けを行う従来の構成と異なり、この実施形態では、カム１９を回動させて第２ローラ１３を傾けることで用紙Ｐの仕分けを行う構成であるため、各部材の移動量をより少なくすることができ、装置をより小型なものにすることができる。
なお、この実施形態において、通常状態におけるカム１９の第１長さの領域１９ａは、カムフォロワ２１の外周面に接触していてもよい。また、カム１９を第２ローラ１３に取り付けて、カム１９によって第１ローラ１２の右端部を押圧する構成でもよい。
【００３１】
図７は、この発明の他の実施形態にかかる複写機の排出ローラ装置２２の右側部分の斜視図である。図８は、図７の排出ローラ装置２２の右端部の断面側面図であり、図８（Ａ）は通常状態を、図８（Ｂ）は仕分け状態を、それぞれ示している。
図７を参照して、この実施形態において、図１〜図６に示す実施形態と主に異なる点は、圧接力切り換え機構１８に代えて、圧接力切り換え機構２３を設けている点にある。なお、この実施形態において、図１〜図６に示す実施形態と同様の構成については、図に同一の符号を付して、その説明を省略する。
【００３２】
圧接力切り換え機構２３は、排出ローラ対１１の右端部側に設けられており、くさび部材２４と、移動機構２５とを備えている。くさび部材２４は、側面視において、くさび形形状に形成され、後端から先端に向かうに連れて肉厚が連続的に減少している。
第１ローラ１２の回転軸１４の右端部には、筒状のカラー２６が回転自在に嵌め合わされており、ばね２７によって上側に付勢されている。同様に、第２ローラ１３の回転軸１６の右端部には、筒状のカラー２８が回転自在に嵌め合わされており、ばね２９によって下側に付勢されている。これらカラー２６，２８は、上下に対向しており、外周面同士が接触している。なお、カラー２６，２８は、無くてもよい。
【００３３】
図８（Ａ）を参照して、通常状態において、くさび部材２４の先端は、カラー２６，２８の対向部間（第１および第２ローラ１２，１３の回転軸１４，１６の右端部間）に向いており、かつ、これらカラー２６，２８のいずれにも接触していない。このとき、第１および第２ローラ１２，１３の右端部における中心Ｃ１，Ｃ２間の距離は、Ｄ１となっている
一方、図８（Ｂ）を参照して、仕分け状態において、くさび部材２４は、カラー２６，２８の対向部間に介在しており、カラー２６，２８の外周面のそれぞれに当接している。このとき、くさび部材２４は、白抜き矢符で示すように、カラー２６を介して、第１ローラ１２の回転軸１４の右端部を、弾性的に下側に押し下げているとともに、黒塗り矢符で示すように、カラー２８を介して、第２ローラ１３の回転軸１６の右端部を、弾性的に上側に押し上げている。これにより、第１および第２ローラ１２，１３の右端部における中心Ｃ１，Ｃ２間の距離は、Ｄ２に拡がっている。
【００３４】
移動機構２５は、くさび部材２４を、上下方向と交差する方向（たとえば、左右方向）に直線移動させるためのものであり、くさび部材２４の先端を、カラー２６，２８の対向部間に押し込ませることができる。
上記の構成により、移動機構２５は、くさび部材２４を移動させることで、くさび部材２４の先端がカラー２６，２８の対向部間に向く通常状態（図８（Ａ）参照）と、くさび部材２４がカラー２６，２８の対向部間に介在する仕分け状態（図８（Ｂ）参照）とに切り換えることができる。すなわち、移動機構２５がくさび部材２４を駆動することで、第１および第２ローラ１２，１３の右端部間の距離を、Ｄ１とＤ２とに変更することができる。
【００３５】
なお、この実施形態において、第１および第２ローラ１２，１３の右端部のうち、第１ローラ１２の右端部のみを、上下方向に移動できるようにしてもよいし、第２ローラ１３の右端部のみを、上下方向に移動できるようにしてもよい。
この発明は、以上の各実施形態の内容に限定されるものではなく、請求項記載の範囲内において種々の変更が可能である。たとえば、上記各実施形態において、対応する圧接力切り換え機構１８，２３を、排出ローラ対１１の左端部に設けてもよい。また、排出ローラ対１１の左右両端部に、対応する圧接力切り換え機構１８，２３をそれぞれ設け、排出ローラ対１１の右側の圧接力が強くなる状態と、左側の圧接力が強くなる状態と、左右の圧接力が均等な状態の、３つの状態を切り換えられるようにしてもよい。さらに、第２ローラ１３を、駆動機構のモータによって回転駆動するとともに、第１ローラ１２を、ギヤを介して第２ローラに連結するようにしてもよい。
【００３６】
その他、本発明の排出ローラ装置を、複写機以外の他の画像形成装置に適用することもできる。
【図面の簡単な説明】
【００３７】
【図１】この発明の一実施形態にかかる排出ローラ装置を備える複写機の概略構成を示す模式的な断面図である。
【図２】排出ローラ装置および排出トレイを用紙の搬送方向の下流側から見た斜視図である。
【図３】排出ローラ装置の右側部分の斜視図である。
【図４】排出ローラ装置の右端部の断面側面図であり、（Ａ）は通常状態を、（Ｂ）は仕分け状態を、それぞれ示している。
【図５】排出ローラ装置を用紙の搬送方向の下流側から見た正面図であり、（Ａ）は通常状態を、（Ｂ）は仕分け状態を、それぞれ示している。
【図６】排出ローラ装置の平面図であり、（Ａ）は通常状態を、（Ｂ）は仕分け状態を、それぞれ示している。
【図７】この発明の他の実施形態にかかる複写機の排出ローラ装置の右側部分の斜視図である。
【図８】図７の排出ローラ装置の右端部の断面側面図であり、（Ａ）は通常状態を、（Ｂ）は仕分け状態を、それぞれ示している。
【符号の説明】
【００３８】
１  複写機（画像形成装置）
８  排出ローラ装置
１１  排出ローラ対
１２  第１ローラ（一方のローラ）
１３  第２ローラ（他方のローラ）
１８  圧接力切り換え機構（圧接力切り換え手段、軸間隔変更手段）
１９  カム
１９ａ  第１長さの領域
１９ｂ  第２長さの領域
２０  カム回動機構（カム回動手段）
２２  排出ローラ装置
２３  圧接力切り換え機構（圧接力切り換え手段、軸間隔変更手段）
Ｃ１  （第１ローラの）中心
【図１】
2006008294.tif 000003
【図２】
2006008294.tif 000004
【図３】
2006008294.tif 000005
【図４】
2006008294.tif 000006
【図５】
2006008294.tif 000007
【図６】
2006008294.tif 000008
【図７】
2006008294.tif 000009
【図８】
2006008294.tif 000010